(57)【要約】【課題】ジョブ情報の読み出し及び書き込みの動作速度の低下の防止及び大量蓄積化を図り、ジョブ情報の管理機能の向上を図ること。【解決手段】ジョブ履歴データを記憶するＲＡＭ１２と、ジョブ履歴データを記憶するＲＡＭ１２よりも容量が大きい不揮発性のＨＤＤ１３と、ジョブ履歴データを圧縮してＨＤＤ１３に記憶させ、ジョブ履歴データを管理する制御部１０と、を備える画像形成装置。【選択図】図１
2009096144.tif 000002
【特許請求の範囲】
【請求項１】
実行が完了したジョブのジョブ情報を記憶する第１記憶部と、
前記ジョブ情報を記憶する前記第１記憶部よりも容量が大きい不揮発性の第２記憶部と、
前記ジョブ情報を圧縮して前記第２記憶部に記憶させ、前記ジョブ情報を管理する制御部と、
を備える画像形成装置。
【請求項２】
前記制御部は、
予め設定された日時よりも古い日時に実行が完了したジョブ情報を圧縮して前記第２記憶部に記憶させる、
請求項１に記載の画像形成装置。
【請求項３】
前記制御部は、
前記予め設定された日時として、所定時間が経過する度に前記第１記憶部に記憶された前記ジョブ情報を圧縮して前記第２記憶部に記憶させる、
請求項１又は２に記載の画像形成装置。
【請求項４】
前記画像形成装置に対して電力の供給指示を行う電源供給指示部と、
日時を計測する計時部と、
を備え、
前記制御部は、
前記第１記憶部に記憶されている前記ジョブ情報を前記第２記憶部に記憶させ、
前記予め設定された日時よりも古い日時として、前記入力部による電力の供給指示があるとき、又は、前記計時部によって日付が変わったとき、前記第２記憶部に記憶されている前記ジョブ情報を圧縮して前記第２記憶部に記憶させる、
請求項１又は２に記載の画像形成装置。
【請求項５】
前記ジョブ情報を表示する表示部と、
前記表示部に前記第２記憶部に記憶されている前記ジョブ情報を表示させる指示を受け付ける入力部と、
を備え、
前記制御部は、
前記入力部により前記第２記憶部に記憶されている前記ジョブ情報を表示させる指示を受け付けた場合、
前記入力部により表示させる指示が受け付けられた第２記憶部に記憶されている前記ジョブ情報を検索し、当該ジョブ情報が圧縮されている場合には伸張し、当該伸張したジョブ情報又は検索され圧縮されていない前記ジョブ情報を前記第１記憶部に記憶させ、前記第１記憶部に記憶された当該ジョブ情報を前記表示部に表示させる、
請求項１から４のいずれか一項に記載の画像形成装置。
【発明の詳細な説明】
【技術分野】
【０００１】
本発明は、画像形成装置に関する。
【背景技術】
【０００２】
近年、プリンタ、スキャナ、ファクシミリ、複写機又はこれらの画像形成機能、複写機能、スキャン機能及びファックス機能等の種々の機能が搭載されたＭＦＰ（Multi Function Printer）等の画像形成装置が知られている。
【０００３】
画像形成装置が実行するジョブの情報（以下、ジョブ情報）は、実行が完了したジョブのジョブ情報をメモリに記憶させ、当該ジョブ情報をユーザの用途や予め定められた項目に従って集計し、この集計結果を表示したりジョブ情報の履歴を表示したりすることを目的として管理されている。
【０００４】
例えば、クライアントコンピュータからジョブ情報を集計する際の集計項目が設定され、ジョブログ記録部に記録されたジョブ情報から設定された集計項目に基づいてジョブ情報を取得し、取得したジョブ情報に含まれる履歴情報を集計し、集計した履歴情報の集計結果をクライアントコンピュータに出力することにより、クライアントコンピュータからプリンタに出力されたジョブ情報を管理するジョブアカウントサーバ、が開示されている（特許文献１参照）。
【特許文献１】特開２００４−１７８３２５号公報
【発明の開示】
【発明が解決しようとする課題】
【０００５】
しかしながら、特許文献１では、ジョブ情報を画像形成装置の外部に設けられた外部装置に保存させ、当該外部装置においてジョブ情報を管理させている。そのため、画像形成装置と外部装置とのジョブ情報を送受信する通信状態の影響を受けやすく、ジョブ情報をメモリに保存できず保存待機状態となってしまったり、ジョブ情報をメモリから読み出すことができず読み出し待機状態となってしまったりして、ジョブ情報を保存するメモリへの通信速度が低下する恐れがあり、不安定なものである。
【０００６】
また、外部装置にジョブ情報を保存させずに画像形成装置内のメモリにジョブ情報を保存したとしても、当該メモリには記憶容量の制限があるため、古いジョブ情報から順次削除されてしまったり、当該メモリが揮発性メモリである場合には電源がオフされた際にメモリ上に記憶されていたジョブ情報が消滅してしまったり、という問題がある。また、実行が完了したジョブ情報を不揮発性のメモリ（例えばＨＤＤ等）に記憶させる場合であっても、当該不揮発性のメモリにも記憶容量の制限があるため、当該不揮発性のメモリを圧迫するという問題が生じる。
【０００７】
本発明の課題は、上記問題に鑑みて、ジョブ情報の読み出し及び書き込みの動作速度の低下の防止及び大量蓄積化を図り、ジョブ情報の管理機能の向上を図ることである。
【課題を解決するための手段】
【０００８】
請求項１に記載の発明によれば、実行が完了したジョブのジョブ情報を記憶する第１記憶部と、前記ジョブ情報を記憶する前記第１記憶部よりも容量が大きい不揮発性の第２記憶部と、前記ジョブ情報を圧縮して前記第２記憶部に記憶させ、前記ジョブ情報を管理する制御部と、を備える画像形成装置が提供される。
【０００９】
請求項２に記載の発明によれば、請求項１に記載の画像形成装置において、前記制御部は、予め設定された日時よりも古い日時に実行が完了したジョブ情報を圧縮して前記第２記憶部に記憶させる。
【００１０】
請求項３に記載の発明によれば、請求項１又は２に記載の画像形成装置において、前記制御部は、前記予め設定された日時として、所定時間が経過する度に前記第１記憶部に記憶された前記ジョブ情報を圧縮して前記第２記憶部に記憶させる。
【００１１】
請求項４に記載の発明によれば、請求項１又は２に記載の画像形成装置において、前記画像形成装置に対して電力の供給指示を行う電源供給指示部と、日時を計測する計時部と、を備え、前記制御部は、前記第１記憶部に記憶されている前記ジョブ情報を前記第２記憶部に記憶させ、前記予め設定された日時よりも古い日時として、前記入力部による電力の供給指示があるとき、又は、前記計時部によって日付が変わったとき、前記第２記憶部に記憶されている前記ジョブ情報を圧縮して前記第２記憶部に記憶させる。
【００１２】
請求項５に記載の発明によれば、請求項１から４のいずれか一項に記載の画像形成装置において、前記ジョブ情報を表示する表示部と、前記表示部に前記第２記憶部に記憶されている前記ジョブ情報を表示させる指示を受け付ける入力部と、を備え、前記制御部は、前記入力部により前記第２記憶部に記憶されている前記ジョブ情報を表示させる指示を受け付けた場合、前記入力部により表示させる指示が受け付けられた第２記憶部に記憶されている前記ジョブ情報を検索し、当該ジョブ情報が圧縮されている場合には伸張し、当該伸張したジョブ情報又は検索され圧縮されていない前記ジョブ情報を前記第１記憶部に記憶させ、前記第１記憶部に記憶された当該ジョブ情報を前記表示部に表示させる。
【発明の効果】
【００１３】
請求項１に記載の発明によれば、画像形成装置内にジョブ情報を記憶する第１記憶部と、第１記憶部よりも容量が大きく圧縮されたジョブ情報が記憶される不揮発性の第２記憶部を備えることから、ジョブ情報を２重で管理することができると共に、記憶されているジョブ情報の書き込みや読み出しを行なう際に外部機器の影響を受けずに一定した動作速度を保ち、かつ、第２記憶部により大量蓄積化を図ることができるため、ジョブ情報の管理機能の向上を図ることができる。
【００１４】
請求項２に記載の発明によれば、請求項１と同様の効果を得られるのは勿論のこと、予め設定された日時よりも古い日時に実行が完了したジョブ情報を圧縮して記憶することができるため、過去の参照頻度等の使用頻度が少ないジョブ情報を圧縮することができ、第２記憶部の容量を効率的に利用することができると共に、使用頻度の高い比較的新しい日時のジョブ情報が圧縮されることを防止でき、使用時に伸張する作業を省くことができる。
【００１５】
請求項３に記載の発明によれば、請求項１又は２と同様の効果を得られるのは勿論のこと、画像形成装置が他の処理を並行して行っている場合、高速な動作が求められるが、一旦、高速にジョブ情報の読み出し及び書き込みが可能な第１記憶部に一次的にジョブ情報を記憶させ、所定時間が経過する度に第１記憶部に記憶されているジョブ情報を第２記憶部に圧縮して記憶させることにより、第２記憶部の容量の圧迫を防ぎつつ第２記憶部へのジョブ情報の書き込みの頻度を下げることができ、即座に他の処理を実行可能とすることができる。
【００１６】
請求項４に記載の発明によれば、請求項１又は２と同様の効果を得られるのは勿論のこと、電源の供給指示があるとき、又は、日付が変わったときに、ジョブ情報を圧縮して第２記憶部に記憶させることができるため、画像形成装置が他の処理を並行して行って高速な動作が求められる前に、ジョブ情報の圧縮を実行することができ、他の処理を実行可能の妨げとなることを防止できる。
【００１７】
請求項５に記載の発明によれば、請求項１から４のいずれか一項と同様の効果を得られるのは勿論のこと、第２記憶部に記憶されているジョブ情報を表示部に表示させる場合、ジョブ情報が圧縮されている場合には伸張して非圧縮のジョブ情報とし、そして、一旦、第２記憶部よりも高速に読み出し及び書き込みが可能な第１記憶部に記憶させ、この第１記憶部に記憶されたジョブ情報を表示することにより、ジョブ情報を表示させた後の処理の実行速度を第２記憶部から直接読み出す場合よりも高速化できる。
【発明を実施するための最良の形態】
【００１８】
［実施の形態１］
以下、図を参照して本発明の実施の形態を詳細に説明する。
まず、構成を説明する。
図１に、本実施の形態１における画像形成装置の構成図を示す。
【００１９】
図１に示すように、画像形成装置は、制御部１０、不揮発メモリ１１、ＲＡＭ（Random Access Memory）１２、ＨＤＤ（Hard Disk Drive）１３、操作部１４、表示部１５、画像メモリ１６、画像処理部１７、通信部１８、画像読取部２０、プリント部３０等を備え、各部は互いに電気的に接続されている。
【００２０】
制御部１０は、ＣＰＵ（Central Processing Unit）等を備え、不揮発メモリ１１に記憶されているシステムプログラム、各種制御プログラム、各種データをＲＡＭ１２内に展開し、これらのプログラム及びデータとの協働により、画像形成装置を構成する各部を統括的に制御する。
【００２１】
また、制御部１０は、日時を計測する計時部としてのタイマ機能を有すると共に、実行が完了したジョブのジョブ情報（以下、ジョブ履歴データ）をＲＡＭ１２及びＨＤＤ１３に記憶させるジョブ履歴データ記憶処理と、操作部１４からの指示に従って表示部１５にジョブ履歴データを表示させるジョブ履歴データ表示処理と、を行い、ジョブ履歴データを管理する制御部としての機能を実現する。
【００２２】
制御部１０は、ジョブ履歴データ記憶処理を実行する際、ＨＤＤ１３にジョブ履歴データを記憶させる場合には、ＲＡＭ１２内の後述する中間バッファに一旦ジョブ履歴データを記憶させ、予め設定された日時よりも古い日時として所定時間が経過する度に中間バッファに記憶されたジョブ履歴データをＨＤＤ１３に記憶させ、当該ＨＤＤ１３に記憶されたジョブ履歴データを圧縮して記憶させる。
【００２３】
制御部１０は、ジョブ履歴データ表示処理を実行する際、操作部１４によりＨＤＤ１３に記憶されているジョブ履歴データを表示部１５に表示させる指示を受け付けた場合には、中間バッファに記憶されたジョブ履歴データをＨＤＤ１３に記憶させ、ＲＡＭ１２内の後述するジョブ履歴管理領域に記憶されているジョブ履歴データの件数を記憶した後、ＨＤＤ１３に記憶されているジョブ履歴データを予め設定された条件に基づいて検索し、当該ジョブ履歴データが圧縮されている場合には伸張し、非圧縮の検索されたジョブ履歴データをジョブ履歴管理領域に記憶させ、当該ジョブ履歴管理領域に記憶された当該ジョブ履歴データを表示部１５に表示させる。そして、ＨＤＤ１３に記憶されているジョブ履歴データの表示を終了する場合、ＨＤＤ１３に記憶されているジョブ履歴データのうち最新のジョブ履歴データから記憶していた件数のジョブ履歴データをジョブ履歴管理領域に記憶させ、また、ＨＤＤ１３内において存在する伸張したジョブ履歴データを削除して、ＨＤＤ１３に記憶されているジョブ履歴データを表示部１５に表示させる前の状態にジョブ履歴管理領域の状態を戻す。
【００２４】
不揮発メモリ１１は、ＲＯＭ（Read Only Memory）やＨＤＤ等の不揮発性のメモリを備え、制御部１０により実行されるシステムプログラム、各種制御プログラム、ジョブ履歴データ記憶処理及びジョブ履歴データ表示処理を実行するためのプログラム、これらのプログラムに係るデータ等を記憶している。
【００２５】
ＲＡＭ１２は、制御部１０によって実行される各種プログラム及びこれらに係るデータを一時的に記憶するワークエリアを形成すると共に、予約ジョブ管理領域１２ａ、ジョブ履歴管理領域１２ｂ、中間バッファ１２ｃを有し、実行が完了したジョブのジョブデータをジョブ履歴データとして記憶し、ジョブ履歴データの書き込み及び読み出しがＨＤＤ１３よりも高速な第１記憶部としての機能を実現する。
【００２６】
なお、本実施の形態１においては、第１記憶部としてＲＡＭ１２を挙げて説明するが、これに限らず、第２記憶部（本実施の形態１ではＨＤＤ１３）よりも高速にジョブ履歴データの書き込み及び読み出しが可能なメモリであればよい。
【００２７】
図２に、ＲＡＭ１２内の構成を示す。
図２に示すように、ＲＡＭ１２は、予約ジョブ管理領域１２ａ、ジョブ履歴管理領域１２ｂ、中間バッファ１２ｃを有している。
【００２８】
予約ジョブ管理領域１２ａは、ＲＡＭ１２内において予め設定された領域であり、予約され実行が完了していないジョブのジョブデータが記憶される領域である。
【００２９】
ジョブ履歴管理領域１２ｂは、ＲＡＭ１２内において予め設定された領域であり、実行が完了したジョブのジョブデータがジョブ履歴データとして記憶される領域である。
【００３０】
中間バッファ１２ｃは、ＲＡＭ１２内において予め設定された領域であってジョブ履歴管理領域１２ｂよりも小さい領域であり、ＨＤＤ１３に記憶するジョブ履歴データが予め設定された数だけ一時的に記憶される領域である。
【００３１】
ＨＤＤ１３は、履歴ファイル１３ａと、圧縮された履歴ファイル（圧縮履歴ファイル）１３ｂと、伸張された圧縮履歴ファイル（伸張履歴ファイル）１３ｃとを記憶、即ち、非圧縮のジョブ履歴データと、圧縮されたジョブ履歴データとを記憶し、ＲＡＭ１２よりも容量が大きい不揮発性の第２記憶部としての機能を実現する。
【００３２】
なお、本実施の形態１においては、第２記憶部としてＨＤＤ１３を挙げて説明するが、これに限らず、第１記憶部（本実施の形態１ではＲＡＭ１２）よりも大容量の不揮発性のメモリあればよい。
【００３３】
図３に、ＨＤＤ１３内に記憶されている履歴ファイル１３ａ、圧縮履歴ファイル１３ｂ、伸張履歴ファイル１３ｃの例を示す。
【００３４】
図３に示すように、履歴ファイル１３ａは、日付単位で分別された複数のジョブ履歴データが未圧縮の状態で格納されている。なお、ジョブ履歴データとしては、実行が完了したジョブのジョブデータの他に、電源のＯＮ／ＯＦＦの情報もジョブ履歴データとして扱ってもよい。
【００３５】
圧縮履歴ファイル１３ｂは、圧縮された履歴ファイルであり、予め定められた形式で圧縮された日付単位で分別された複数のジョブ履歴データの集合である。
【００３６】
伸張履歴ファイル１３ｃは、伸張された圧縮履歴ファイルであり、圧縮された日付単位で分別され複数のジョブ履歴データが伸張されて生成されたジョブ履歴データの集合である。
【００３７】
操作部１４は、当該画像形成装置に対して電源の供給指示を行う電源供給指示部としての電源スイッチ、コピースタートキー、テンキー等の各種操作ハードキーを備え、これらの操作ハードキーの操作信号を制御部１０に出力する。また、操作部１４は、表示部１５のＬＣＤを覆うように設けられたタッチパネルを有し、電磁誘導式、磁気歪式、感圧式等の座標読み取り原理でタッチ指示された座標を検出し、検出した座標を制御部１０に出力することにより、表示部１５に表示された画面上において、ＲＡＭ１２又はＨＤＤ１３に記憶されているジョブ履歴データを表示させる指示を受け付ける入力部として機能する。
【００３８】
表示部１５は、ＬＣＤ（Liquid Crystal Display）等の表示画面と、表示画面上に操作画面を表示させるためのデータを一時的に記憶するＶＲＡＭ（Video Random Access Memory）等を備え、制御部１０からＶＲＡＭに書込まれたデータに従って、所要の各種画面の表示を行う。また、表示部１５は、制御部１０からの指示に従って、ジョブ履歴データを表示する第１ジョブ履歴表示画面Ｇ１及び第２ジョブ履歴表示画面Ｇ２を表示画面上に表示する表示部としての機能を実現する。
【００３９】
図４に、第１ジョブ履歴表示画面Ｇ１の例を示し、図５に第２ジョブ履歴表示画面Ｇ２の例を示す。
【００４０】
図４に示すように、第１ジョブ履歴表示画面Ｇ１は、出力履歴ボタンＢ１１、履歴表示切替ボタンＢ１２、ジョブ履歴表示エリアＥ１１等を有している。
【００４１】
出力履歴ボタンＢ１１は、実行が完了したジョブのジョブ履歴データをジョブ履歴表示エリアＥ１１に表示させる指示を受け付けるボタンである。
【００４２】
履歴表示切替ボタンＢ１２は、ジョブ履歴表示エリアＥ１１に表示されているジョブ履歴データをＨＤＤ１３に記憶されているジョブ履歴データに切り替えて表示する第２ジョブ履歴表示画面Ｇ２を表示させる指示を受け付けるボタンである。即ち、第１ジョブ履歴表示画面Ｇ１のジョブ履歴表示エリアＥ１１に表示されているジョブ履歴データは、ＲＡＭ１２のジョブ履歴管理領域１２ｂに記憶されているジョブ履歴データである。
【００４３】
図５に示すように、第２ジョブ履歴表示画面Ｇ２は、第１ジョブ履歴表示画面Ｇ１と同様の出力履歴ボタンＢ１１及びジョブ履歴表示エリアＥ１１、履歴表示切替ボタンＢ２１、日付表示エリアＥ２１、前の日ボタンＢ２２、次の日ボタンＢ２３等を有している。
【００４４】
履歴表示切替ボタンＢ２１は、ジョブ履歴表示エリアＥ１１に表示されているジョブ履歴データをＲＡＭ１２のジョブ履歴管理領域１２ｂに記憶されているジョブ履歴データに切り替えて表示する第１ジョブ履歴表示画面Ｇ１を表示させる指示を受け付けるボタンである。即ち、第２ジョブ履歴表示画面Ｇ２のジョブ履歴表示エリアＥ１１に表示されているジョブ履歴データは、ＨＤＤ１３に記憶されているジョブ履歴データである。
【００４５】
日付表示エリアＥ２１は、ジョブ履歴表示エリアＥ１１に表示されているジョブ履歴データの日付を示している。前の日ボタンＢ２２は、日付表示エリアＥ２１に表示されている日付の前日のＨＤＤ１３に記憶されているジョブ履歴データを表示させる指示を受け付けるボタンである。次の日ボタンＢ２３は、日付表示エリアＥ２１に表示されている日付の後日のＨＤＤ１３に記憶されているジョブ履歴データを表示させる指示を受け付けるボタンである。
【００４６】
画像メモリ１６は、ＤＲＡＭ（Dynamic RAM）により構成され、圧縮された画像データを一時的に記憶する圧縮メモリと、印刷出力前にプリント出力対象の非圧縮の画像データを一時的に格納するページメモリとを有する。
【００４７】
画像処理部１７は、制御部１０の指示に基づいて、画像読取部２０から出力された画像データや通信部１８を介して送信された画像データを圧縮して、画像メモリ１６の圧縮メモリに圧縮画像データとして書き込んで一時的に記憶させる。
【００４８】
通信部１８は、ＮＩＣやモデム、ＵＳＢ等の各種インターフェースを備えて構成され、ネットワーク上の外部機器と相互に情報の送受信を行う。
【００４９】
画像読取部２０は、コンタクトガラスの下部に、光源、ＣＣＤ（Charge Coupled Devices）等の光電変換素子等を備えて構成され、コンタクトガラス上に載置された原稿を光走査し、その反射光をＣＣＤにより光電変換後、デジタル変換してその原稿の画像データを取得する。
【００５０】
プリント部３０は、各種類の用紙を給紙する給紙部（不図示）を備え、制御部１０によりプリント指示されページメモリに格納された画像データに基づいて、指定された用紙上に画像の形成を行う。なお、画像形成方式は、電子写真方式、インクジェット方式等の何れの方式であってもよい。
【００５１】
次に、本実施の形態１の動作を説明する。
まず、本実施の形態１におけるジョブ履歴データ記憶処理について説明する。
なお、ジョブ履歴データ記憶処理は、制御部１０と不揮発メモリ１１に記憶されているジョブ履歴データ記憶処理のプログラム、ＲＡＭ１２、ＨＤＤ１３との協働により実行されるものである。
【００５２】
制御部１０は、ジョブの実行が完了すると、実行が完了したジョブのジョブデータからジョブ履歴データを生成する。そして制御部１０は、生成したジョブ履歴データをＲＡＭ１２内のジョブ履歴管理領域１２ｂに記憶させると共に、中間バッファ１２ｃに当該ジョブ履歴データの複製を記憶させる。
【００５３】
そして、中間バッファ１２ｃに記憶されているジョブ履歴データをＨＤＤ１３に記憶させる処理が実行される。図６に、中間バッファ１２ｃに記憶されているジョブ履歴データをＨＤＤ１３に記憶させる処理のフローチャートを示す。
【００５４】
図６に示すように、制御部１０は、中間バッファ１２ｃに記憶されているジョブ履歴データをＨＤＤ１３に記憶させる処理を実行する際、まず、所定時間が経過したか否かを判別する（ステップＳ１）。
【００５５】
この所定時間は、ジョブ履歴データが発生する最短時間間隔と、中間バッファ１２ｃに記憶可能なジョブ履歴データの数とに基づいて設定されるものであり、ジョブ履歴データが中間バッファ１２ｃに記憶できない状態が発生しないよう設定されるものであり、予め設定された日時よりも古い日時に実行されたジョブ履歴データであることが判別されるものである。従って、ステップＳ１においては、例えば、中間バッファ１２ｃに記憶されているジョブ履歴データがＨＤＤ１３に記憶されたときから予め設定された時間が経過したか否か、中間バッファ１２ｃに記憶されているジョブ履歴データがＨＤＤ１３に記憶された日付が予め設定された日付（現在の日付）か否かを判別するものであってもよい。
【００５６】
制御部１０は、所定時間が経過していない場合（ステップＳ１；Ｎｏ）、所定時間が経過するまで待機する（ステップＳ１に戻る）。
【００５７】
制御部１０は、所定時間が経過した場合（ステップＳ１；Ｙｅｓ）、中間バッファ１２ｃにジョブ履歴データがあるか否かを判別し（ステップＳ２）、ジョブ履歴データがない場合（ステップＳ２；Ｎｏ）、ステップＳ１に戻る。
【００５８】
制御部１０は、中間バッファ１２ｃにジョブ履歴データがある場合（ステップＳ２；Ｙｅｓ）、中間バッファ１２ｃに記憶されているジョブ履歴データをＨＤＤ１３へ記憶するジョブ履歴データとして確定する（ステップＳ３）。
【００５９】
制御部１０は、ステップＳ３において確定したジョブ履歴データの複製を生成し、当該複製したジョブ履歴データをＨＤＤ１３に記憶させる（ステップＳ４）。
【００６０】
そして、ＨＤＤ１３に記憶させたジョブ履歴データを圧縮して圧縮履歴ファイルとしてＨＤＤ１３に記憶させると共に、当該圧縮履歴ファイルの元となるジョブ履歴データをＨＤＤ１３内から消去する（ステップＳ５）。
【００６１】
また制御部１０は、ステップＳ３において確定した中間バッファ１２ｃ内のジョブ履歴データを消去し（ステップＳ６）、本処理を終了する。
【００６２】
つまり、図６に示す処理は、所定時間経過毎、即ち、定期的に繰り返し実行されるものである。
【００６３】
図７及び図８に、本実施の形態１におけるジョブ履歴データ表示処理のフローチャートを示し、説明する。なお、図７及び図８に示す処理は、制御部１０と不揮発メモリ１１に記憶されているジョブ履歴データ表示処理のプログラム、ＲＡＭ１２、ＨＤＤ１３との協働により実行されるものである。
【００６４】
制御部１０は、表示部１５に表示されている第１ジョブ履歴表示画面Ｇ１の履歴表示切替ボタンＢ１２が押下された場合、画像形成装置がアイドリング状態か否かを判別し（ステップＳ１１）、アイドリング状態でない場合（ステップＳ１１；Ｎｏ）、アイドリング状態になるまで待機する。
【００６５】
制御部１０は、画像形成装置がアイドリング状態である場合（ステップＳ１１；Ｙｅｓ）、中間バッファ１２ｃにジョブ履歴データがあるか否かを判別し（ステップＳ１２）、ジョブ履歴データがない場合（ステップＳ１２；Ｎｏ）、ステップＳ１６に進む。
【００６６】
制御部１０は、中間バッファ１２ｃにジョブ履歴データがある場合（ステップＳ１２；Ｙｅｓ）、中間バッファ１２ｃに記憶されているジョブ履歴データをＨＤＤ１３へ記憶するジョブ履歴データとして確定する（ステップＳ１３）。
【００６７】
制御部１０は、ステップＳ２３において確定したジョブ履歴データの複製を生成し、当該複製したジョブ履歴データをＨＤＤ１３に記憶させる（ステップＳ１４）。
【００６８】
制御部１０は、ステップＳ２３において確定した中間バッファ１２ｃ内のジョブ履歴データを消去する（ステップＳ１５）。
【００６９】
ステップＳ１２〜１５が実行されることにより、画像形成装置がアイドリング状態になる前までに実行が完了した全てのジョブのジョブ履歴データがＨＤＤ１３に記憶されることとなる。
【００７０】
制御部１０は、ステップＳ１２；Ｎｏ後又はステップＳ１５後、第１ジョブ履歴表示画面Ｇ１のジョブ履歴表示エリアＥ１１に表示されているジョブ履歴データの数Ｎ、即ち、ＲＡＭ１２のジョブ履歴管理領域１２ｂに記憶されているジョブ履歴データの件数を記憶する（ステップＳ１６）。
【００７１】
制御部１０は、ステップＳ１６後、ＨＤＤ１３に記憶されているジョブ履歴データを参照し（ステップＳ１７）、参照されているＨＤＤ１３のジョブ履歴データのうち予め設定された条件に該当するジョブ履歴データを検索し（ステップＳ１８）、検索されたジョブ履歴データは圧縮履歴ファイルに格納されているジョブ履歴データであるか否かを判別する（ステップＳ１９）。
【００７２】
制御部１０は、検索されたジョブ履歴データが圧縮履歴ファイルに格納されているジョブ履歴データである場合（ステップＳ１９；Ｙｅｓ）、当該ジョブ履歴データが格納されている圧縮履歴ファイルを伸張し、伸張履歴ファイルを生成する（ステップＳ２０）。
【００７３】
制御部１０は、検索されたジョブ履歴データが圧縮履歴ファイルに格納されているジョブ履歴データでない場合（ステップＳ１９；Ｎｏ）、又は、ステップＳ２０後、ＨＤＤ１３から予め設定された条件に該当するジョブ履歴データを読み出して複製を生成し、読み出したジョブ履歴データの複製をジョブ履歴管理領域１２ｂに上書きして記憶させる（ステップＳ２１）。
【００７４】
制御部１０は、第２ジョブ履歴表示画面Ｇ２を表示部１５に表示させ、この第２ジョブ履歴表示画面Ｇ２のジョブ履歴表示エリアＥ１１にジョブ履歴管理領域１２ｂに記憶されたジョブ履歴データを表示させる（ステップＳ２２）。
【００７５】
制御部１０は、第２ジョブ履歴表示画面Ｇ２の履歴表示切替ボタンＢ２１又は前の日ボタンＢ２２、次の日ボタンＢ２３が押下されたか否かにより、ＨＤＤ１３に記憶されているジョブ履歴データの表示が完了したか否かを判別する（ステップＳ２３）。
【００７６】
制御部１０は、前の日ボタンＢ２２又は次の日ボタンＢ２３が押下された場合、即ち、ＨＤＤ１３に記憶されているジョブ履歴データの表示が完了していない場合（ステップＳ２３；Ｎｏ）、ステップＳ１７に戻る。
【００７７】
制御部１０は、履歴表示切替ボタンＢ２１が押下された場合、即ち、ＨＤＤ１３に記憶されているジョブ履歴データの表示が完了した場合（ステップＳ２３；Ｙｅｓ）、ＨＤＤ１３に記憶されているジョブ履歴データのうち、最新の日付のジョブ履歴データからステップＳ１６において記憶した件数Ｎのジョブ履歴データを読み出して複製を生成し、当該読み出したＮ件のジョブ履歴データの複製をＲＡＭ１２のジョブ履歴管理領域１２ｂに上書きして記憶させると共に（ステップＳ２４）、伸張履歴ファイルを消去し（ステップＳ２５）、本処理を終了する。
【００７８】
以上のように、本実施の形態１によれば、画像形成装置内にジョブ履歴データを記憶するＲＡＭ１２と、ＲＡＭ１２よりも容量が大きく圧縮されたジョブ履歴データが記憶される不揮発性のＨＤＤ１３を備えることから、ジョブ履歴データを２重で管理することができると共に、記憶されているジョブ履歴データの書き込みや読み出しを行なう際に外部機器の影響を受けずに一定した動作速度を保ち、かつ、ＨＤＤ１３により大量蓄積化を図ることができるため、ジョブ履歴データの管理機能の向上を図ることができる。
【００７９】
特に、予め設定された日時よりも古い日時にジョブ履歴データを圧縮して記憶することができるため、過去の参照頻度等の使用頻度が少ないジョブ履歴データを圧縮することができ、ＨＤＤ１３の容量を効率的に利用することができると共に、使用頻度の高い比較的新しい日時のジョブ履歴データが圧縮されることを防止でき、使用時に伸張する作業を省くことができる。
【００８０】
また、画像形成装置が他の処理を並行して行っている場合、高速な動作が求められるが、一旦、高速にジョブ履歴データの読み出し及び書き込みが可能なＲＡＭ１２内の中間バッファに一次的にジョブ履歴データを記憶させ、所定時間が経過する度にＲＡＭ１２に記憶されているジョブ履歴データをＨＤＤ１３に圧縮して記憶させることにより、ＨＤＤ１３の容量の圧迫を防ぎつつＨＤＤ１３へのジョブ履歴データの書き込みの頻度を下げることができ、即座に他の処理を実行可能とすることができる。
【００８１】
更に、ＨＤＤ１３に記憶されているジョブ履歴データを表示部１５に表示させる場合、表示させるジョブ履歴データが圧縮されている場合（圧縮履歴ファイルに格納されているジョブ履歴データである場合）には伸張して非圧縮のジョブ履歴データとし、そして、一旦、ＨＤＤ１３よりも高速に読み出し及び書き込みが可能なＲＡＭ１２に記憶させ、このＲＡＭ１２に記憶されたジョブ履歴データを表示することにより、ジョブ履歴データを表示させた後の処理の実行速度をＨＤＤ１３から直接読み出す場合よりも高速化できる。
【００８２】
［実施の形態２］
以下、図を参照して本発明の実施の形態２を詳細に説明する。
本実施の形態２における画像形成装置の構成図は、図１に示した実施の形態１の画像形成装置の構成図と略同様であるため、図示は省略し、異なる事項のみ説明する。
【００８３】
本実施の形態２の制御部１０は、日時を計測する計時部としてのタイマ機能を有すると共に、実行が完了したジョブのジョブ情報（ジョブ履歴データ）をＲＡＭ１２及びＨＤＤ１３に記憶させるジョブ履歴データ記憶処理と、操作部１４からの指示に従って表示部１５にジョブ履歴データを表示させるジョブ履歴データ表示処理と、を行い、ジョブ履歴データを管理する制御部としての機能を実現する。
【００８４】
制御部１０は、ジョブ履歴データ記憶処理を実行する際、ＨＤＤ１３にジョブ履歴データを記憶させる場合には、ＲＡＭ１２内の中間バッファに一旦ジョブ履歴データを記憶させ、所定時間が経過する度に中間バッファに記憶されたジョブ履歴データをＨＤＤ１３に記憶させる。そして、電源スイッチによる電力の供給指示があるとき（例えば、電源スイッチがＯＮされたとき）、又は、日付が変わったとき、ＨＤＤ１３に記憶されているジョブ履歴データを圧縮してＨＤＤ１３に記憶させる。
【００８５】
なお、ＲＡＭ１２内の構成、ＨＤＤ１３内の構成、第１ジョブ履歴表示画面Ｇ１、第２ジョブ履歴表示画面Ｇ２は、実施の形態１と同様であるため、図示及び説明は省略する。
【００８６】
次に、本実施の形態２の動作を説明する。
まず、本実施の形態２におけるジョブ履歴データ記憶処理について説明する。
なお、ジョブ履歴データ記憶処理は、制御部１０と不揮発メモリ１１に記憶されているジョブ履歴データ記憶処理のプログラム、ＲＡＭ１２、ＨＤＤ１３との協働により実行されるものである。
【００８７】
制御部１０は、ジョブの実行が完了すると、実行が完了したジョブのジョブデータからジョブ履歴データを生成する。そして制御部１０は、生成したジョブ履歴データをＲＡＭ１２内のジョブ履歴管理領域１２ｂに記憶させると共に、中間バッファ１２ｃに当該ジョブ履歴データの複製を記憶させる。
【００８８】
そして、中間バッファ１２ｃに記憶されているジョブ履歴データをＨＤＤ１３に記憶させる処理が実行される。図９に、中間バッファ１２ｃに記憶されているジョブ履歴データをＨＤＤ１３に記憶させる処理のフローチャートを示す。
【００８９】
ステップＳ３１〜Ｓ３３は、図６に示す実施の形態１のステップＳ１〜Ｓ３と同様であるため、説明は省略する。
【００９０】
制御部１０は、ステップＳ３３において確定したジョブ履歴データの複製を生成し、当該複製したジョブ履歴データをＨＤＤ１３に記憶させる（ステップＳ３４）。
【００９１】
そして制御部１０は、ステップＳ３３において確定した中間バッファ１２ｃ内のジョブ履歴データを消去し（ステップＳ３５）、本処理を終了する。
【００９２】
つまり、図９に示す処理は、所定時間経過毎、即ち、定期的に繰り返し実行されるものである。
【００９３】
その後、ＨＤＤ１３に記憶されたジョブ履歴データを圧縮して記憶させる処理が実行される。図１０に、ＨＤＤ１３に記憶されているジョブ履歴データを圧縮させて記憶させる処理のフローチャートを示す。
【００９４】
制御部１０は、電源スイッチがＯＮされたか、又は、日付が変わったか否かを判別し（ステップＳ４１）、電源スイッチがＯＮされておらず、かつ、日付が変わっていない場合（ステップＳ４１；Ｎｏ）、ステップＳ４１に戻る。
【００９５】
制御部１０は、電源スイッチがＯＮされた場合、又は、日付が変わった場合（ステップＳ４１；Ｙｅｓ）、ＨＤＤ１３内を参照し（ステップＳ４２）、非圧縮のジョブ履歴データを格納している履歴ファイルがあるか否かを判別する（ステップＳ４３）。制御部１０は、履歴ファイルが無い場合（ステップＳ４３；Ｎｏ）、本処理を終了する。
【００９６】
制御部１０は、履歴ファイルが有る場合（ステップＳ４３；Ｙｅｓ）、当該履歴ファイルの日付は現在の日付（今日）か否かを判別し（ステップＳ４４）、当該履歴ファイルの日付が現在の日付である場合（ステップＳ４４；Ｙｅｓ）、本処理を終了する。
【００９７】
制御部１０は、履歴ファイルの日付が現在の日付でない場合（ステップＳ４４；Ｎｏ）、当該履歴ファイルを圧縮して圧縮履歴ファイルを生成し、当該生成した圧縮履歴ファイルをＨＤＤ１３に記憶させる（ステップＳ４５）。
【００９８】
また制御部１０は、圧縮履歴ファイルの生成元である履歴ファイルを消去し（ステップＳ４６）、本処理を終了する。
【００９９】
ジョブ履歴データ表示処理は、実施の形態１と同様の処理であるため、図示及び説明は省略する。
【０１００】
以上のように、本実施の形態２によれば、実施の形態１と同様に、画像形成装置内にジョブ履歴データを記憶するＲＡＭ１２と、ＲＡＭ１２よりも容量が大きく圧縮されたジョブ履歴データが記憶される不揮発性のＨＤＤ１３を備えることから、ジョブ履歴データを２重で管理することができると共に、記憶されているジョブ履歴データの書き込みや読み出しを行なう際に外部機器の影響を受けずに一定した動作速度を保ち、かつ、ＨＤＤ１３により大量蓄積化を図ることができるため、ジョブ履歴データの管理機能の向上を図ることができる。
【０１０１】
また、予め設定された日時よりも古い日時（例えば、電源スイッチがＯＮされたとき、又は、日付が変わったとき）にジョブ履歴データを圧縮して記憶することができるため、過去の参照頻度等の使用頻度が少ないジョブ履歴データを圧縮することができ、ＨＤＤ１３の容量を効率的に利用することができると共に、使用頻度の高い比較的新しい日時のジョブ履歴データが圧縮されることを防止でき、使用時に伸張する作業を省くことができる。特に、電源スイッチがＯＮされたとき、又は、日付が変わったときにジョブ履歴データを圧縮して記憶することができるため、画像形成装置が他の処理を並行して行って高速な動作が求められる前に、ジョブ履歴データの圧縮を実行することができ、他の処理を実行可能の妨げとなることを防止できる。
【０１０２】
更に、実施の形態１と同様に、ＨＤＤ１３に記憶されているジョブ履歴データを表示部１５に表示させる場合、表示させるジョブ履歴データが圧縮されている場合（圧縮履歴ファイルに格納されているジョブ履歴データである場合）には伸張して非圧縮のジョブ履歴データとし、そして、一旦、ＨＤＤ１３よりも高速に読み出し及び書き込みが可能なＲＡＭ１２に記憶させ、このＲＡＭ１２に記憶されたジョブ履歴データを表示することにより、ジョブ履歴データを表示させた後の処理の実行速度をＨＤＤ１３から直接読み出す場合よりも高速化できる。
【０１０３】
また、本発明は、上記実施の形態１及び２の内容に限定されるものではなく、本発明の主旨を逸脱しない範囲で適宜変更可能である。
【図面の簡単な説明】
【０１０４】
【図１】実施の形態における画像形成装置の構成図である。
【図２】ＲＡＭ内の構成を示す図である。
【図３】ＨＤＤ内に記憶されている履歴ファイル、圧縮履歴ファイル、伸張履歴ファイルの例を示す図である。
【図４】第１ジョブ履歴表示画面の例を示す図である。
【図５】第２ジョブ履歴表示画面の例を示す図である。
【図６】実施の形態１における中間バッファに記憶されているジョブ履歴データをＨＤＤに記憶させる処理のフローチャートである。
【図７】ジョブ履歴データ表示処理のフローチャートである。
【図８】ジョブ履歴データ表示処理のフローチャートである（図７の続き）。
【図９】実施の形態２における中間バッファに記憶されているジョブ履歴データをＨＤＤに記憶させる処理のフローチャートである。
【図１０】ＨＤＤに記憶されているジョブ履歴データを圧縮させて記憶させる処理のフローチャートである。
【符号の説明】
【０１０５】
１０  制御部
１１  不揮発メモリ
１２  ＲＡＭ
１２ａ  予約ジョブ管理領域
１２ｂ  ジョブ履歴管理領域
１２ｃ  中間バッファ
１３  ＨＤＤ
１３ａ  履歴ファイル
１３ｂ  圧縮履歴ファイル
１３ｃ  伸張履歴ファイル
１４  操作部
１５  表示部
１６  画像メモリ
１７  画像処理部
１８  通信部
２０  画像読取部
３０  プリント部
Ｂ１１  出力履歴ボタン
Ｂ１２  履歴表示切替ボタン
Ｂ２１  履歴表示切替ボタン
Ｂ２２  前の日ボタン
Ｂ２３  次の日ボタン
Ｅ１１  ジョブ履歴表示エリア
Ｅ２１  日付表示エリア
Ｇ１  第１ジョブ履歴表示画面
Ｇ２  第２ジョブ履歴表示画面
【図１】
2009096144.tif 000003
【図２】
2009096144.tif 000004
【図３】
2009096144.tif 000005
【図４】
2009096144.tif 000006
【図５】
2009096144.tif 000007
【図６】
2009096144.tif 000008
【図７】
2009096144.tif 000009
【図８】
2009096144.tif 000010
【図９】
2009096144.tif 000011
【図１０】
2009096144.tif 000012